(57)【要約】【課題】箱やバケツ等の容器に取り付けても好適に使用できる汚物収容袋を提供する。【解決手段】液不透過性の袋体２の内部に吸収体６が備えられた汚物収容袋１であって、袋体２は、外側袋部３と、外側袋部３の開口縁５から内側に折り返されて延在する内側帯部４とから構成され、袋体２には開口縁５に沿って弾性部材７が設けられ、吸収体６は外側袋部３の内側面に設けられ、吸収体６の端部が外側袋部３と内側帯部４に挟まれている。【選択図】図４
2013188408.tif 000002
【特許請求の範囲】
【請求項１】
液不透過性の袋体の内部に吸収体が備えられた汚物収容袋であって、
前記袋体は、外側袋部と、外側袋部の開口縁から内側に折り返されて延在する内側帯部とから構成され、
前記袋体には、前記開口縁に沿って弾性部材が設けられ、
前記吸収体は前記外側袋部の内側面に設けられ、前記吸収体の端部が前記外側袋部と前記内側帯部に挟まれていることを特徴とする汚物収容袋。
【請求項２】
前記弾性部材は、前記外側袋部と前記内側帯部とに挟まれて設けられている請求項１に記載の汚物収容袋。
【請求項３】
前記弾性部材は、前記開口縁と前記吸収体の前記端部の間に設けられている請求項１または２に記載の汚物収容袋。
【請求項４】
前記弾性部材は、前記開口縁に沿って設けられた複数の開口縁弾性部材と、前記開口縁弾性部材よりも前記開口縁から離れて設けられた複数の保形用弾性部材とから構成され、
前記保形用弾性部材が、前記開口縁弾性部材よりも広い間隔で配されている請求項１〜３のいずれか一項に記載の汚物収容袋。
【請求項５】
液不透過性のシート部材を搬送方向に供給する工程；
前記シート部材に弾性部材を搬送方向に配設するとともに、吸収体を配設する工程；
前記シート部材の幅方向の端部を、幅方向の内方に折り返して、前記弾性部材と前記吸収体の端部を前記シート部材の間に挟む工程；
前記シート部材を幅方向に２つ折りする工程；
２つ折りした前記シート部材どうしを隣接する前記吸収体の間で接合して汚物収容袋連続体を得る工程；
前記汚物収容袋連続体を幅方向に切断して個別の汚物収容袋を得る工程；
をこの順番で有することを特徴とする汚物収容袋の製造方法。
【発明の詳細な説明】
【技術分野】
【０００１】
本発明は、排泄物を収容するための汚物収容袋に関し、災害時、キャンプ等のアウトドア時、長距離ドライブ等の車両移動時等に段ボール箱やバケツ等の容器に取り付けたりして使用でき、医療や介護においても使用できるものである。
【背景技術】
【０００２】
従来、液不透過性の袋体の内部に吸収体が備えられた汚物収容袋が知られており、このような汚物収容袋は、折り畳み式の便座等で構成される簡易トイレ等に取り付けて用いられる（例えば、特許文献１，２）。
【先行技術文献】
【特許文献】
【０００３】
【特許文献１】特開２０００−２４５６５４号公報
【特許文献２】特開２００５−３２３９３５号公報
【発明の概要】
【発明が解決しようとする課題】
【０００４】
しかし、汚物収容袋を使用するのに、簡易トイレを一緒に持ち運ぶことは大変であり、汚物収容袋を段ボール箱やバケツ等の容器に取り付けて用いることができれば、汚物収容袋の適用範囲がより広がる。またこの際、汚物収容袋を容器に取り付けて使用しやすくする工夫が必要である。
【０００５】
本発明は前記事情に鑑みてなされたものであり、その目的は、箱やバケツ等の容器に取り付けても好適に使用できる汚物収容袋を提供することにある。
【課題を解決するための手段】
【０００６】
前記課題を解決することができた本発明の汚物収容袋とは、液不透過性の袋体の内部に吸収体が備えられた汚物収容袋であって、袋体は、外側袋部と、外側袋部の開口縁から内側に折り返されて延在する内側帯部とから構成され、袋体には開口縁に沿って弾性部材が設けられ、吸収体は外側袋部の内側面に設けられ、吸収体の端部が外側袋部と内側帯部に挟まれているところに特徴を有する。本発明の汚物収容袋は、開口縁に沿って弾性部材が設けられているため、汚物収容袋を箱やバケツ等の容器に取り付けて用いることができ、この際、汚物収容袋の開口縁を容器の外側面に好適に留めることができるようになる。また、吸収体の端部が外側袋部と内側帯部に挟まれているため、排泄の際に尿等が吸収体に直接当たらずに内側帯部に当たっても、内側帯部に当たった尿等が吸収体の表面に導かれて吸収体の表面で良好に拡散し、尿等が吸収体に速やかに吸収されるようになる。
【０００７】
弾性部材は、外側袋部と内側帯部とに挟まれて設けられていることが好ましい。このように弾性部材が設けられていると、弾性部材が袋体にしっかりと固定されるようになる。また、弾性部材の収縮力によって外側袋部と内側帯部の両方に好適にギャザーが形成され、汚物収容袋を使用する際、使用者が開口縁を掴みやすくなって、袋体の開口を開きやすくなる。
【０００８】
弾性部材は、開口縁と吸収体の端部の間に設けられていることが好ましい。弾性部材が開口縁と吸収体の端部の間に設けられれば、吸収体が弾性部材の収縮力によって大きく歪みにくくなり、尿等の吸収体の表面での拡散性が高められる。
【０００９】
弾性部材は、開口縁に沿って設けられた複数の開口縁弾性部材と、開口縁弾性部材よりも開口縁から離れて設けられた複数の保形用弾性部材とから構成され、保形用弾性部材が、開口縁弾性部材よりも広い間隔で配されていることが好ましい。このように弾性部材が設けられていれば、汚物収容袋を容器に取り付けた際、汚物収容袋の容器へのフィット性が高まり、容器に取り付けた汚物収容袋に使用者の肌が触れにくくなって、使用者が好適に排泄しやすくなる。また、汚物収容袋は、開口縁弾性部材によって開口縁の剛性が高まるとともに、保形用弾性部材が設けられた部分で袋体の自立性が高まるため、汚物収容袋を容器等に取り付けずに単独で用いても汚物収容袋に排泄しやすくなる。
【００１０】
本発明はまた、液不透過性のシート部材を搬送方向に供給する工程；シート部材に弾性部材を搬送方向に配設するとともに、吸収体を配設する工程；シート部材の幅方向の端部を、幅方向の内方に折り返して、弾性部材と吸収体の端部をシート部材の間に挟む工程；シート部材を幅方向に２つ折りする工程；２つ折りしたシート部材どうしを隣接する吸収体の間で接合して汚物収容袋連続体を得る工程；汚物収容袋連続体を幅方向に切断して個別の汚物収容袋を得る工程；をこの順番で有する汚物収容袋の製造方法を提供する。このような製造方法によれば、本発明の汚物収容袋を連続生産することができる。
【発明の効果】
【００１１】
本発明の汚物収容袋は、開口縁に沿って弾性部材が設けられているため、汚物収容袋を箱やバケツ等の容器に取り付けた祭、開口縁が容器の外側面に留まり、汚物収容袋を容器に取り付けて好適に用いることができる。また、吸収体の端部が外側袋部と内側帯部に挟まれているため、排泄の際に尿等が内側帯部に当たっても、尿等が吸収体の表面に導かれやすくなり、尿等が吸収体に速やかに吸収されるようになる。
【図面の簡単な説明】
【００１２】
【図１】本発明の汚物収容袋の一例を表し、汚物収容袋の正面図を表す。
【図２】図１に示した汚物収容袋を内側から見た図を表す。
【図３】図１に示した汚物収容袋のＡ−Ａ断面図を表す。
【図４】図１に示した汚物収容袋の斜視図を表す。
【図５】本発明の汚物収容袋の製造方法の一例を表す。
【発明を実施するための形態】
【００１３】
本発明の汚物収容袋について、図面を参照して説明する。なお、本発明は、図面に示された実施態様に限定されるものではない。
【００１４】
図１〜図４には、本発明の汚物収容袋の一例を示す。図１は、本発明の汚物収容袋の正面図を表す。図２は、図１に示した汚物収容袋を袋体の内側から見た図を表す。図３は、図１のＡ−Ａ断面図を表す。図４は、図１に示した汚物収容袋の斜視図を表す。なお、図１および図２に示した汚物収容袋は、汚物収容袋に設けられた弾性部材を伸張させた状態を示し、図４に示した汚物収容袋は、汚物収容袋に設けられた弾性部材の伸張を弛緩させた状態を示している。
【００１５】
本発明の汚物収容袋１は、液不透過性の袋体２の内部に吸収体６が備えられたものである。汚物収容袋１は、例えば、簡易トイレや、箱やバケツ等の容器に取り付けて用いられ、使用者が袋体２の内部に排泄することにより、排泄物（汚物）が吸収体６に吸収・固定される。
【００１６】
袋体２は液不透過性であり、液不透過性であればその材料は特に限定されない。袋体２の材料としては、ポリオレフィン（例えば、ポリプロピレン、ポリエチレン）、ポリエステル（例えば、ＰＥＴ）、ポリアミド（例えば、ナイロン）等から構成されたプラスチックフィルムや、ポリオレフィン（例えば、ポリプロピレン、ポリエチレン）、ポリエステル（例えば、ＰＥＴ）、ポリアミド（例えば、ナイロン）等の疎水性繊維から形成された不織布等を用いることができる。また、袋体２の材料として、不織布とプラスチックフィルムとの積層体を用いてもよい。
【００１７】
袋体２は、外側袋部３と、外側袋部３の開口縁５から内側に折り返されて延在する内側帯部４とから構成されている。外側袋部３は袋形状を有し、袋体２の外側面を構成している。内側帯部４は外側袋部３の開口縁５から延在し、外側袋部３の内側面に部分的に重なって設けられる。つまり、内側帯部４は袋体２の開口近傍の内側面に設けられる。内側帯部４は、開口縁５の全周から延在してもよく、開口縁５の一部から延在してもよいが、開口縁５の５０％以上から延在することが好ましく、７５％以上から延在することがより好ましく、９０％以上から延在することがさらに好ましく、開口縁５の全周から延在することが特に好ましい。
【００１８】
外側袋部３の形状は特に限定されない。図１に示した汚物収容袋１では、外側袋部３が、長方形のシート部材どうしの３辺が貼り合わされた外形を有しているが、長方形以外にも、例えば、台形、半円形、多角形等でもよい。外側袋部３はまた、底面を有する筒形状であってもよく、その底面形状も特に限定されない。
【００１９】
袋体２は、１枚のシート部材から形成されていてもよく、２枚以上のシート部材を繋ぎ合わせて形成されていてよい。例えば、袋状のシート部材が開口で内側に折り返されることにより、外側袋部３と内側帯部４が形成されてもよく、外側袋部３と内側帯部４が別のシート部材から構成され、内側帯部４が外側袋部３の開口縁５に接合して袋体２が形成されてもよい。
【００２０】
袋体２の内部には吸収体６が備えられている。吸収体６は、尿等の汚物を吸収できる吸収性材料を含むものであれば特に限定されない。吸収体６としては、例えば、吸収性材料を所定形状に成形した成形体を用いたり、あるいは吸収性材料を紙シート（例えば、ティッシュペーパーや薄葉紙）や液透過性不織布シート等のシート部材で覆ったものを用いることができる。吸収体６に含まれる吸収性材料としては、例えば、粉砕したパルプ繊維、セルロース繊維等の親水性繊維や、ポリアクリル酸系、ポリアスパラギン酸系、セルロース系、デンプン・アクリロニトリル系等の吸水性樹脂等が挙げられる。また、吸水性材料には、ポリエチレン、ポリプロピレン等のポリオレフィン繊維や、ＰＥＴ等のポリエステル繊維、ポリアミド繊維等の熱融着性繊維が含まれてもよい。これらの熱融着性繊維は、尿等の体液との親和性を高めるために、界面活性剤等により親水化処理がされていてもよい。
【００２１】
吸収体６は、吸収性材料として、親水性繊維を含有することが好ましい。吸収体６が親水性繊維を含有していれば、尿等を速やかに吸収できるようになるとともに、吸収体６の剛性や保形性が高まる。従って、吸収体６によって汚物収容袋１の底面が定まりやすくなり、汚物収容袋１の自立安定性が増す。
【００２２】
吸収体６は、吸収体の吸収容量を高めて、尿等の固定化能力を高める点から、吸収性材料として、親水性繊維に加え吸水性樹脂を含むことが好ましい。この場合、例えば、親水性繊維の集合体に吸水性樹脂を混合または散布したものを用いればよい。
【００２３】
吸収体６は、不織布シート間に吸水性樹脂を有しパルプ繊維を有しないシート状吸収体であってもよい。シート状吸収体は不織布シート間に吸水性樹脂を有するため、高い吸収容量を実現できる。また、シート状吸収体は不織布シート間にパルプ繊維を有しないため、嵩張らず薄型に形成することができる。従って、吸収体６がシート状吸収体であれば、汚物収容袋１をコンパクトに折り畳むことができ、汚物収容袋１の携帯性が向上する。
【００２４】
シート状吸収体に用いられる不織布シートは液透過性であり、そのような不織布シートとしては、例えば、セルロース、レーヨン、コットン等の親水性繊維；ポリオレフィン（例えば、プロピレン、ポリエチレン）、ポリエステル、ポリアミド（例えば、ナイロン）等の疎水性繊維を界面活性剤で親水化したものを用いればよい。シート状吸収体に用いられる不織布としては、比較的薄くて柔軟性の高い不織布が好ましく、例えば、スパンボンド不織布、ポイントボンド不織布、メルトブロー不織布、エアレイド不織布、またはＳＭＳ不織布を用いることが好ましい。
【００２５】
吸収体６の形状は特に限定されない。図面に示した汚物収容袋１には長方形の吸収体６が備えられているが、吸収体６は、例えば、円形、楕円形、多角形、角の丸まった多角形、砂時計形等でもよい。
【００２６】
図２および図３に示すように、吸収体６は外側袋部３の内側面に設けられ、吸収体６の端部が外側袋部３と内側帯部４に挟まれて設けられている。吸収体６は端部が外側袋部３と内側帯部４に挟まれているため、汚物収容袋１に尿等が排泄されると、尿等が吸収体６の表面に導かれやすくなり、尿等が吸収体６に速やかに吸収されるようになる。すなわち、排泄の際に尿等が吸収体６に直接当たらずに内側帯部４に当たっても、内側帯部４に当たった尿等が吸収体６の表面に導かれやすくなり、尿等が吸収体６の表面で広がって、尿等が吸収体６に速やかに吸収されるようになる。
【００２７】
吸収体６は、吸収体６の長手方向の端部の少なくとも一方が外側袋部３と内側帯部４とに挟まれていればよい。このとき、外側袋部３と内側帯部４とに挟まれた吸収体６の端部が前側に位置するように汚物収容袋１に排泄することで、尿等が吸収体６の表面にスムーズに導かれるようになる。もちろん、吸収体６の長手方向の端部の両方が外側袋部３と内側帯部４とに挟まれていてもよく、吸収体６の外縁全体が外側袋部３と内側帯部４とに挟まれていてもよい。
【００２８】
吸収体６は、端部が外側袋部３と内側帯部４に挟まれるが、端部より内方の中央部は外側袋部３と内側帯部４に挟まれない。すなわち、吸収体６の中央部は内側帯部４に覆われない。従って、吸収体６は、外側袋部３の内側面に取り付けられた状態で、内側帯部４によって覆われる部分が吸収体６の内側面の面積の３０％以下となることが好ましく、２０％以下となることがより好ましく、１０％以下となることがさらに好ましい。このように吸収体６の端部が内側帯部４に覆われることにより、尿等が吸収体６に好適に吸収されるようになる。
【００２９】
袋体２には、開口縁５に沿って弾性部材７が設けられている。開口縁５に沿って弾性部材７が設けられることにより、汚物収容袋１を箱やバケツ等の容器に取り付けて用いることが容易になる。汚物収容袋１を容器に取り付けるには、袋体２を容器の内部に入れ、この状態で開口縁５を袋体２の外側に折り返して容器の外側面に留めればよい。このとき、開口縁５に沿って設けられた弾性部材７の収縮力によって、開口縁５を容器の外側面に好適に保持できるようになる。従って、折り畳み式の便座等で構成される簡易トイレがなくても、汚物収容袋１を適当な容器に取り付けることにより、汚物収容袋１に排泄することが可能となる。また、汚物排泄袋１に排泄された後でも、汚物収容袋１が排泄物（汚物）の重さによって容器内に落ち込みにくくなり、開口縁５が容器の外側面から外れにくくなる。
【００３０】
弾性部材７は、袋体２の開口を囲む周方向に設けられればよく、開口縁５の近傍に設けられることが好ましい。従って、弾性部材７として、少なくとも開口縁５から３０ｍｍ以内（より好ましくは２０ｍｍ以内であり、さらに好ましくは１５ｍｍ以内）に設けられるものが存在することが好ましい。
【００３１】
弾性部材７は、接着剤等の接合手段により袋体２に取り付けられる。このとき、弾性部材７は、伸張状態で袋体２に取り付けられる。このように弾性部材７が取り付けられることにより、開口縁５を容器の外側面に好適に留めることができるようになる。また、弾性部材７の収縮力によって開口縁５に沿って袋体２にギャザーが形成され、汚物収容袋１を使用する際、袋体２の開口を開きやすくなる。
【００３２】
図１と図２には、袋体２に設けられた弾性部材７を伸張させた状態の汚物収容袋１が示されている。弾性部材７を伸張状態を解いて収縮させると、図４に示すように、袋体２は開口縁５に沿ってギャザーが形成される。
【００３３】
弾性部材７は、外側袋部３の外側面に設けられてもよく、外側袋部３の内側面に内側帯部４と挟まれずに設けられてもよく、内側帯部４の内側面に設けられてもよく、外側袋部３と内側帯部４とに挟まれて設けられてもよい。なお弾性部材７は、図３に示すように、外側袋部３と内側帯部４とに挟まれて設けられることが好ましく、このように弾性部材７が設けられることにより、弾性部材７が袋体２にしっかりと固定されるようになる。また、弾性部材７の収縮力によって外側袋部３と内側帯部４の両方に好適にギャザーが形成され、使用者が開口縁５を掴みやすくなり、袋体２の開口を開きやすくなる。
【００３４】
弾性部材７は、開口縁５と吸収体６の端部の間に設けられることが好ましい。すなわち、弾性部材７は、吸収体６と重なって設けられないことが好ましい。例えば、弾性部材７が吸収体６と重なって設けられると、弾性部材７の収縮力によって吸収体６が大きく歪んで、尿等が吸収体６の表面で偏って拡散しやすくなる。しかし、弾性部材７が開口縁５と吸収体６の端部の間に設けられれば、吸収体６が大きく歪みにくくなり、尿等の吸収体６の表面での拡散性が高められる。
【００３５】
弾性部材７は、１本のみ設けてもよく、複数本設けてもよい。なお、図面では弾性部材７は複数本設けられており、このように弾性部材７が複数本設けられていれば、汚物収容袋１を容器に取り付けて使用する際、開口縁５を容器の外側面に好適に保持しやすくなる。
【００３６】
弾性部材７が複数本設けられる場合、図１〜図４に示すように、弾性部材７は、開口縁５に沿って設けられた複数の開口縁弾性部材８と、開口縁弾性部材８よりも開口縁５から離れて設けられた複数の保形用弾性部材９とから構成され、保形用弾性部材９が開口縁弾性部材８よりも広い間隔で配されることが好ましい。この場合、汚物収容袋１を容器に取り付けて用いると、開口縁５の近傍に幅狭に設けられた開口縁弾性部材８は、開口縁５の容器の外側面への保持力を高めるように作用する。開口縁５から離れて設けられた保形用弾性部材９は、袋体２を容器の外側面にフィットさせるように作用し、その結果、排泄の際、容器に取り付けた汚物収容袋１に使用者の肌が触れにくくなり、使用者が好適に排泄しやすくなる。
【００３７】
また、開口縁弾性部材８と保形用弾性部材９が設けられていれば、汚物収容袋１は開口縁弾性部材８によって開口縁５の剛性が高まるとともに、保形用弾性部材９が設けられた部分で袋体２の自立性が高まり、汚物収容袋１を容器等に取り付けずに単独で用いても汚物収容袋１が図４に示すような袋形状を保持しやすくなる。従って、汚物収容袋１を単独で用いても、汚物収容袋１に排泄しやすくなる。さらにこの場合、開口縁５の近傍に幅狭に設けられた開口縁弾性部材８によって、開口縁５が開口の内側に向くようになって、尿等を汚物収容袋１に排泄する際、尿等が汚物収容袋１の外側に飛散しにくくなる。あるいは、開口縁５を開口縁弾性部材８とともに袋体２の開口の外側に折り返して用いると、袋体２の開口がより好適に保持されるようになり、汚物収容袋１を単独で用いることが容易になる。
【００３８】
開口縁弾性部材８と保形用弾性部材９が設けられる場合、保形用弾性部材９は開口縁弾性部材よりも２倍以上（より好ましくは３倍以上）広い間隔で配されることが好ましい。また、開口縁弾性部材８と保形用弾性部材９との間の間隔は、開口用弾性部材９よりも広い間隔となることが好ましく、開口縁弾性部材９の間隔よりも２倍以上（より好ましくは３倍以上）広い間隔となることが好ましい。
【００３９】
次に、本発明の汚物収容袋の製造方法について説明する。図５には、本発明の汚物収容袋の製造方法の一例を示す。
【００４０】
図５に示した汚物収容袋の製造方法は、液不透過性のシート部材１１を搬送方向ｖに供給する工程Ａ；シート部材１１に弾性部材１２を搬送方向ｖに配設するとともに、吸収体１３を配設する工程Ｂ；シート部材１１の幅方向ｗの端部１４を、幅方向ｗの内方に折り返して、弾性部材１２と吸収体１３の端部をシート部材１１の間に挟む工程Ｃ；シート部材１１を幅方向ｗに２つ折りする工程Ｄ；２つ折りしたシート部材１１どうしを隣接する吸収体１３の間で接合して汚物収容袋連続体１５を得る工程Ｅ；汚物収容袋連続体１５を幅方向ｗに切断して個別の汚物収容袋１６を得る工程Ｆ；をこの順番で有するものである。本発明の汚物収容袋は、このような製造方法により、連続生産することができるようになる。
【００４１】
工程Ａでは、液不透過性のシート部材１１を搬送方向ｖに繰り出す。シート部材１１は、シート部材平面上に、搬送方向ｖと、搬送方向ｖに垂直な幅方向ｗとを有している。シート部材１１は袋体２に使用可能なシート部材を用いればよい。シート部材１１は、好ましくは、長方形の外形を有しており、長方形の長辺と平行な搬送方向ｖに繰り出される。
【００４２】
工程Ｂでは、シート部材１１に弾性部材１２と吸収体１３を配設する。弾性部材１２は、シート部材１１の搬送方向ｖに配設する。吸収体１３は、搬送方向ｖに対し所定間隔を空けてシート部材１１に配設する。弾性部材１２と吸収体１３は、どちらを先にシート部材１１に配設してもよく、両方同時に配設してもよい。吸収体１３は、幅方向ｗに対して弾性部材１２の間に位置するように配されることが好ましい。
【００４３】
工程Ｂに先立って、シート部材１１に接着剤を塗布する工程を設けてもよい。このとき、接着剤は、シート部材１１の少なくとも弾性部材１２が配設される部分に塗布することが好ましい。あるいは、工程Ｂにおいて、表面に接着剤が塗布された弾性部材１２をシート部材１１に配設してもよい。弾性部材１２の表面に接着剤を塗布して繰り出す接着剤塗布ノズルについては、例えば、特開２００９−１１８９０号公報に開示されているものを用いることができる。
【００４４】
工程Ｃでは、シート部材１１の幅方向ｗの端部１４を幅方向ｗの内方に折り返して、弾性部材１２と吸収体１３の端部をシート部材の間に挟む。このとき、シート部材１１は搬送方向ｖに延びる折り返し線で折り返すことが好ましい。またシート部材１１は、シート部材１１に配設された弾性部材１２よりも幅方向ｗの外方の位置で折り返すことが好ましい。
【００４５】
工程Ｄでは、弾性部材１２と吸収体１３の端部がシート部材１１の間に挟み込まれた状態で、シート部材１１を幅方向ｗに２つ折りする。このとき、シート部材１１は搬送方向ｖに延びる折り返し線で２つ折りすることが好ましい。好ましくは、シート部材１１を、幅方向ｗ中央で搬送方向ｖに延びる折り返し線１７で２つ折りする。
【００４６】
工程Ｅでは、２つ折りしたシート部材１１どうしを隣接する吸収体１３の間で接合して、汚物収容袋連続体１５を得る。シート部材１１どうしの接合は、例えば、ヒートシールや超音波融着、接着剤等により行われる。図５では、２つ折りしたシート部材１１どうしを熱ロールで挟み込むことにより、シート部材１１どうしをヒートシールしている。また、熱ロールに代えて超音波融着装置を用いてもよい。シート部材１１どうしを接着剤で接合する場合は、工程Ｃと工程Ｄの間で、隣接する吸収体１３の間の部分でシート部材１１に接着剤を塗布する工程を設ければよい。
【００４７】
工程Ｅでは、幅方向ｗに延びる接合線で、２つ折りしたシート部材１１どうしを接合すればよい。接合線は、隣接する吸収体１３の間で、１本のみ形成されてもよく、複数本が搬送方向ｖに間隔を空けて形成されてもよい。
【００４８】
工程Ｆでは、汚物収容袋連続体１５を幅方向ｗに切断して個別の汚物収容袋１６を得る。工程Ｆでは、汚物収容袋連続体１５を、例えば、切断カッター等で切断する。このとき、汚物収容袋連続体１５を接合線で切断してもよく、あるいは、隣接する吸収体１３の間で複数本の接合線が搬送方向ｖに間隔を空けて形成される場合は、接合線の間で汚物収容袋連続体１５を切断してもよい。
【符号の説明】
【００４９】
１：  汚物収容袋
２：  袋体
３：  外側袋部
４：  内側帯部
５：  開口縁
６：  吸収体
７：  弾性部材
８：  開口縁弾性部材
９：  保形用弾性部材
１１：  シート部材
１２：  弾性部材
１３：  吸収体
１５：  汚物収容袋連続体
１６：  汚物収容袋
【図１】
2013188408.tif 000003
【図２】
2013188408.tif 000004
【図３】
2013188408.tif 000005
【図４】
2013188408.tif 000006
【図５】
2013188408.tif 000007